(57)【要約】【課題】  撮像信号ＡＦと、外部測距ＡＦに基づいて焦点検出するハイブリッドＡＦを備えた光学手ぶれ補正機能付きデジタルビデオカメラやデジタルスチルカメラにおいて、２つのＡＦのパララックスを補正して、ズムーズに外測ＡＦから撮像信号ＡＦへ測距動作を引き継ぐ。【解決手段】  撮像信号ＡＦの検出エリアと、外部測距ＡＦの距離測定ポイントを、（撮像信号ＡＦの検出エリアを移動または選択すると共に）、ぶれ補正光学系を移動することで、２つの焦点検出手段のパララックスを補正することを特徴とする。【選択図】  図１
2006171290.tif 000002
【特許請求の範囲】
【請求項１】
撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部のぶれ補正光学系を移動することで撮像画像のぶれを補正するぶれ補正手段を有するカメラにおいて、前記第一の焦点検出手段の検出エリアと前記第二の焦点検出手段の距離測定ポイントが重なるべく前記ぶれ補正光学系を移動することで、２つの焦点検出手段のパララックスの補正を行うことを特徴とするカメラ。
【請求項２】
撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、前記第一の焦点検出手段の検出エリアから前記第二の焦点検出手段の距離測定ポイントが外れない範囲にて前記ぶれ補正光学系を制御するぶれ補正動作を行うことで、２つの焦点検出手段のパララックスの補正を行ないつつぶれ補正を行うことを特徴とするカメラ。
【請求項３】
撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、前記第一の焦点検出手段の検出エリアのほぼ中央に前記第二の焦点検出手段の距離測定ポイントが位置するように前記ぶれ補正の基準中心位置を設定すべく前記ぶれ補正光学系を制御することで、２つの焦点検出手段のパララックスの補正を行ないつつぶれ補正を行うことを特徴とするカメラ。
【請求項４】
前記第一の焦点検出手段の検出エリアは、前記第二の焦点検出手段の検出結果に基づいて画面内の位置を決定することを特徴とする請求項３に記載のカメラ。
【請求項５】
撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、以下の手順で撮影を行うことを特徴としたカメラ。
ステップ１：第一の焦点検出手段にて焦点検出を行う、
ステップ２：ステップ１の焦点検出結果に基づいて、前記第一の焦点検出手段の検出エリアから前記第二の焦点検出手段の距離測定ポイントが外れない範囲にて前記ぶれ補正光学系を制御することで、２つの焦点検出手段のパララックス補正とぶれ補正動作を行いながら第二の焦点検出手段に基づいて焦点検出を行う、
ステップ３：手ぶれ補正の基準中心位置を前記ステップ２での焦点検出時のパララックス補正位置に設定して、前記ぶれ補正光学系を制御しながら、被写体の撮影を行う。
【請求項６】
前記撮像手段にて撮影を行いつつ撮影画像を表示する表示手段を有するカメラにおいて、前記パララックス補正は前記表示手段に撮影画像が表示されていないときのみ行うことを特徴とする請求項１から請求項４に記載のカメラ。
【請求項７】
前記被写体までの距離を測定する前記第二の焦点検出手段は、前記撮影光学系とは異なる位相差光学系から位相差検出手段にて検出された位相差に基づいて距離を測定する焦点検出手段であることを特徴とする請求項１から請求項５に記載のカメラ。
【請求項８】
前記被写体までの距離を測定する前記第二の焦点検出手段は、自ら赤外線を発し、前記赤外線の反射光を検出することで三角測距する焦点検出手段であることを特徴とする請求項１から請求項５に記載のカメラ。
【発明の詳細な説明】
【技術分野】
【０００１】
本発明は、２つ以上の焦点検出手段に基づいて焦点調節を行う焦点調節技術を備えるとともに、光学式手ぶれ補正装置を備えたデジタルビデオカメラやデジタルスチルカメラ等の撮像機器に搭載して有効な技術に関する。
【背景技術】
【０００２】
従来より、撮像信号の高周波成分を抽出して、これが最大になる場所（山の頂点）を探して、合焦点と判断する、TTL方式のオートフォーカス（AF）方式が提案されている。以後、この方式のAFを撮像信号AFと呼ぶことにする。この方式は、自動焦点検出だけの為のメカ部材が必要無いので低コストで実現でき、さらに、撮像信号そのもので焦点の判断を行うために、精度が高く、経時変化が無いなどの特徴がある。ところが、山の頂点を判別するためには、端から端までスキャンをして山の形を把握するか、もしくは、山登り動作を行い、山の頂上を越えてから戻すなどの動作を必要とするため、合焦点を判断するのに時間がかかるという欠点があった。
【０００３】
一方、赤外線三角測距方式や瞳分割位相差検出方式を用いた、外部測距方式のオートフォーカス（外部測距AF）は、直接距離を測定することが可能になるので、合焦点の位置がスキャン動作や山登り動作を必要としないため高速に合焦点まで移動できるという特徴があるが、経時変化や温度変化で合焦位置が狂いやすいとか、距離に応じて撮影画像と測距位置にパララックスが発生するなどの欠点があった。
【０００４】
そこで、AFの性能向上の一手段として、撮像信号AFと、外部測距AFを組み合わせて、お互いの良いところを組み合わせることで、高速で高精度なオートフォーカスを実現するハイブリッドAFが提案されている。ところが、２つのAF方式間で測距動作を引き継ぐ際に、外部測距AFと撮像信号AFとの間にパララックスが発生するために、被写体の距離によっては画面内の同一の場所を評価出来なくなり、ハンチング等の誤動作を起すことがある欠点があった。
【０００５】
ところで、外部測距AFや外部ファインダと、フィルムへの撮像画像とのパララックスを補正するための補正手段として、フィルム保持部材を駆動して、露光時には画像のぶれ補正も行う提案が、特開平７−３１９０００に成されている。この提案を上述の欠点の解消に用いると、ハイブリッドAFに対しても有用にパララックス補正が行うことが可能になる。
【特許文献１】特開平０７−３１９０００号公報
【発明の開示】
【発明が解決しようとする課題】
【０００６】
しかし、上述の提案（特開平７−３１９０００）と同様の方式にて、ぶれ補正光学系にて撮影画像のパララックスを完全に補正しようとすると、かなり大幅に撮影画像の光学系をずらす必要があり、ぶれ補正光学系の駆動範囲をかなり大きくとる必要がある問題点があり、現行のぶれ補正光学系よりも大型化するため現実的とは言えない。
【０００７】
本発明の目的は、上述の問題点を解決することを目的とし、補正角の少ない従来タイプのぶれ補正光学系でも外部測距AFの測距ポイントと撮像信号AFとのパララックスを除去して、スムーズで、高速かつ高精度なオートフォーカスを可能にするものである。
【課題を解決するための手段】
【０００８】
上記の目的を達成するために、本発明の請求項１のカメラは、撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部のぶれ補正光学系を移動することで撮像画像のぶれを補正するぶれ補正手段を有するカメラにおいて、前記第一の焦点検出手段の検出エリアと前記第二の焦点検出手段の距離測定ポイントが重なるべく前記ぶれ補正光学系を移動することで、２つの焦点検出手段のパララックスの補正を行うことを特徴とするものである。
【０００９】
また、本発明の請求項２に記載のカメラは、撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、前記第一の焦点検出手段の検出エリアから前記第二の焦点検出手段の距離測定ポイントが外れない範囲にて前記ぶれ補正光学系を制御するぶれ補正動作を行うことで、２つの焦点検出手段のパララックスの補正を行ないつつぶれ補正を行うことを特徴とするものである。
【００１０】
さらに、本発明の請求項３に記載のカメラは、撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、前記第一の焦点検出手段の検出エリアのほぼ中央に前記第二の焦点検出手段の距離測定ポイントが位置するように前記ぶれ補正の基準中心位置を設定すべく前記ぶれ補正光学系を制御することで、２つの焦点検出手段のパララックスの補正を行ないつつぶれ補正を行うことを特徴とするものである。
【００１１】
そして、本発明の請求項５に記載のカメラは、撮影光学系から入射された光学像を光電変換する撮像手段と、前記撮像手段で撮像される撮像信号の画面内の所定の検出エリアから抽出された高周波成分に基づいて前記光学系の合焦点を検出する第一の焦点検出手段と、被写体までの距離を測定する第二の焦点検出手段と、前記撮影光学系の一部であるぶれ補正光学系を移動することで撮像画像のぶれを補正するぶれ補正手段を有するカメラにおいて、以下の手順で撮影を行うことを特徴としたものであり、
ステップ１：第一の焦点検出手段にて焦点検出を行う、
ステップ２：ステップ１の焦点検出結果に基づいて、前記第一の焦点検出手段の検出エリアから前記第二の焦点検出手段の距離測定ポイントが外れない範囲にて前記ぶれ補正光学系を制御することで、２つの焦点検出手段のパララックス補正とぶれ補正動作を行いながら第二の焦点検出手段に基づいて焦点検出を行う、
ステップ３：手ぶれ補正の基準中心位置を前記ステップ２での焦点検出時のパララックス補正位置に設定して、前記ぶれ補正光学系を制御しながら、被写体の撮影を行うものである。
【発明の効果】
【００１２】
以上説明したように、撮像信号AFと外部測距AFの２つの測距結果に基づいてオートフォーカスを行うハイブリッドAFと光学防振機能を備えたデジタルビデオカメラやデジタルスチルカメラ等の撮像機器において、２つの焦点検出手段の検出領域が重なるように、光学手ぶれ補正機能を制御するとともに、撮像信号AFの測距ゲートを最適に制御することで、小型の手ぶれ補正機構で２つのパララックスを削減出来ると共に、動画に対しても、静止画に対しても、スムーズで、高速、高精度なオートフォーカスが実現できる効果がある。
【００１３】
さらに、モニタディスプレイの使用状況に応じて、パララックスの削減処理を制御することで、使用者に違和感を与えること無く、２つの測距手段の測距ポイントのパララックスを削減できる効果がある。
【発明を実施するための最良の形態】
【００１４】
ここ、図面を参照しながら、本発明の実施の形態について説明する。
【００１５】
図１は、第1実施例、第２実施例、第3実施例、共通のカメラの構成を表す図である。ここで言うカメラとは、動画や静止画を撮影してテープや固体メモリ、光ディスクや磁気ディスク等のさまざまなメディアに記録する、いわゆるビデオカメラやデジタルスチルカメラ等を総称してカメラと呼ぶ。カメラ内の各ユニットは、バス158を介して接続されており、各ユニットはメインＣＰＵ151によって制御される構造になっている。
【００１６】
レンズユニット101には、固定レンズ102、ズームレンズ111、絞り103、ぶれ補正レンズ121、フォーカスレンズ131が含まれ、これらの光学部材を通して、撮像素子141上に結像することで、被写体の撮像を行う。ズーム制御113は、メインＣＰＵ151の指示に従いズームモータ112を介してズームレンズ111を駆動する。
【００１７】
撮像素子141に結像された画像は撮像素子141にて光電変換され撮像信号処理142で画像信号として整えられると共に、撮像信号AF検出回路134へと入力される。撮像信号AF検出回路134では、一つ、または複数の測距ゲート135にて画面内の一部のみの撮像信号を抽出し、バンドパスフィルタ（BPF）136で所定の高域成分のみを抽出し、検波器137でピークホールドや積分等の検波処理を行うことで、撮像信号AF評価値S2を出力し、フォーカス制御133へ入力する。測距ゲート135や、BPF136、検波器137が複数の場合は、AF評価値S2も複数の信号になり、フォーカス制御133において、複数の信号から条件に応じて選択したり、複数の信号に基づいてオートフォーカス動作を行う。一方、外部測距AF検出モジュール130は、外部測距AF用瞳分割光学系138を通して位相差検出器139へ結像された２つの被写体像を、位相差検出器139で2像の位相差量を検出することで、被写体までの距離信号S1を算出してフォーカス制御133へ入力する。フォーカス制御133では、外部測距AF距離信号S1と撮像信号AF評価値S2に基づいて、フォーカスモータ132を介してフォーカスレンズ131を駆動することで、オートフォーカス（AF）を実現する。なお、外部測距AFは、ここでは位相差検出方式のAFモジュールで説明しているが、赤外線アクティブ方式のAFモジュールでも構わないことは言うまでもない。
【００１８】
ぶれ補正制御124は、振動ジャイロセンサー等のぶれ検出回路125でカメラの水平・垂直方向のぶれ情報を検出する。また、ぶれ補正レンズ121には、ぶれ補正レンズの位置を検出する位置エンコーダ123が付いており、ぶれ補正制御124は、ぶれ補正レンズ121の水平・垂直の現在位置を常時検出、監視する。このカメラのぶれ情報とぶれ補正レンズ121の現在位置にもとづいて、ぶれ補正モータ122を駆動することで、ぶれ補正レンズ121を水平・垂直方向に目標位置に向けて駆動し、ぶれ補正動作を行う。ぶれ補正動作を行わないときや、２つのフォーカス検出系のパララックスを補正するときや、ぶれ補正を開始する直前は、位置エンコーダ123にもとづいて、所定の位置で停止するように制御をかける。なお、ぶれ補正レンズは水平・垂直に移動するタイプではなく、可変頂角プリズムを用いても同様の効果が得られることは言うまでもなく、ぶれ補正レンズ（頂角可変プリズム）を固定レンズ102よりも被写体側に配置しても構わない。
【００１９】
撮像信号処理142で整えられた画像信号は、一時的にRAM154に蓄積される。RAM154に蓄積された画像信号は、画像圧縮解凍回路153にて圧縮処理され、画像記録メディア157に記録される。これと平行して、RAM154に蓄積された画像信号は、画像処理152にて最適なサイズに縮小・拡大処理がなされ、モニタディスプレイ150に表示することで、リアルタイムで撮影画像を撮影者に対してフィードバックする。また、撮影直後には、モニタディスプレイに所定時間だけ撮影画像を表示することで、撮影画像の確認を行うことも可能になる。
【００２０】
操作スイッチ156には、電源スイッチやズームスイッチ、レリーズスイッチ、モニタディスプレイON/OFFスイッチ等が含まれる。電源スイッチは、カメラの電源のON/OFFを行ない、ズームスイッチは、ズームを駆動の指示を行なう。レリーズスイッチは2段押しに構成になっており、一段目をSW1、二段目をSW2と呼ぶ。SW1では、撮影スタンバイからの復帰や撮影開始準備の指示（たとえば手ぶれ補正開始とか、オートフォーカスの開始、測光の開始の指示など）をおこない、SW2では、撮影を行い画像記録メディア157への画像の記録を指示を行う。モニタディスプレイON/OFFスイッチは、モニタディスプレイ150へ撮影状態の画像を表示するか否かの切り替え等を行う。
【００２１】
電源管理ユニット158は、これに接続されたバッテリー159の電源状態をチェックしたり、バッテリーを充電したりの電源管理をおこなう。
【００２２】
これらの動作に先立って、カメラがOFF状態から起動すると、フラッシュメモリ155に格納されていたプログラムがRAM154の一部にロードされてメインCPU151はこのRAM154にロードされたプログラムにしたがって動作を行う。
【００２３】
図２は、外部測距AF検出モジュール130と撮像素子141のパララックスの発生を説明する図である。パララックスは、レンズ138の焦点距離や向き、レンズ101の焦点距離、そして絶対的な被写体距離等で変化するので、一概には言えないが、外部AFセンサー130と撮像素子141が、図２において202と201のような位置関係に配置したとして、近、中、遠の３つの相対距離での撮像画面上での外部AFセンサー202が距離を評価するエリアの一例を説明する。近距離の被写体では、図２a)のごとく撮像画面203上のエリア206になり、画面内の左下を評価することになる。これに対して、中距離の被写体では、図２b)のごとく撮像画面204上のエリア207となり、画面内のほぼ中央を評価する。そして、遠距離の被写体では、図２c)のごとく撮像画面205上のエリア208となり、画面内の右上を評価することになる。
【００２４】
＜第一実施例＞
図３は、第１実施例の動作を説明する図である。図２と同様の状態において、撮像画面のほぼ中央に設定した撮像信号AFの測距ゲートが301である。補正以前の被写体が近距離の状態は、図３(ａ)で表されるが、外部測距AFの距離評価エリア206と撮像信号AFの測距ゲート301は、パララックスが発生しているため、ずれている。また、補正以前の被写体が遠距離の状態は、図３（ｃ）で表させるが、外部測距AFの距離評価エリア208と撮像信号AFの測距ゲート301はパララックスが発生しているため、ずれている。被写体距離が中距離の場合は、図３（ｂ）で表されるが、外部測距AFの距離評価エリア207と撮像信号AFの測距ゲート301は大きさは異なるが、パララックスが発生しないため、位置がほぼ一致している。
【００２５】
これに対して、補正後の状態を図３（ｄ）、（ｅ）、（ｆ）に表す。図３（ｄ）は、パララックス補正後の被写体が近距離の状態を表しており、ぶれ補正レンズ121を移動することで、撮像画面の位置を203から304に移動すると共に、撮像信号AFの測距ゲートの位置を画面内で、301から302へ移動することで、パララックスが補正されて、外部測距AFの距離評価エリア207と撮像信号AFの測距ゲート301の位置がほぼ一致させることが出来る。また、図３（ｆ）は、パララックス補正後の被写体が遠距離の状態を表しており、ぶれ補正レンズ121を移動することで、撮像画面の位置を205から305に移動すると共に、撮像信号AFの測距ゲートの位置を画面内で、301から303へ移動することで、パララックスが補正されて、外部測距AFの距離評価エリア207と撮像信号AFの測距ゲート301の位置がほぼ一致させることが出来る。被写体距離が中距離の場合は、パララックスが発生していなかったので、図３（ｅ）に表すように、ぶれ補正レンズ121や撮像信号AFの測距ゲートの位置は移動していない。
【００２６】
次に、オートフォーカスを行う一連の手順について、図４のフローチャートを用いて説明する。S401から開始して、S402では、位相差検出方式の外部測距AFにて大まかな被写体距離（S1）を検出する。S403では、S402検出した被写体距離信号（S1）に基づいて、あらかじめROM等のメモリ上に記憶しておいたパララックス発生テーブルやパララックス発生演算式等からパララックスの発生量および方向を算出する。S404では、S403で算出されたパララックス量と方向から、図３で説明したように、ぶれ補正レンズ121を駆動すると同時に測距ゲート135を移動することで、パララックスを補正する。S405では、S403で検出した被写体距離へフォーカスレンズ131を移動し、S406では、撮像信号AF評価値S2に基づいて山登りAFを行う。山のぼりを行った結果、S407にて合焦と判断された場合はS408へ進むが、まだ合焦していない場合は、S40６へと進み、山登り動作を繰り返す。S408ではフォーカスレンズ131を停止して、待機状態に入る。S409では、被写体距離信号S1と撮像信号AF評価値S2の両方の変化を監視しつづけ、どちらかの信号または、両方の信号が変化した場合には、被写体の距離が変化したと判断して待機状態を脱して、再びS402から開始する。
【００２７】
＜第二実施例＞
図５は、第２実施例の動作を説明する図である。図２と同様の状態において、撮像画面のほぼ中央に設定した撮像信号AFの測距ゲートが501である。本実施例では、撮像信号AFの測距ゲートは9分割されており、９つのAF速距ゲートからは９つの撮像信号AFの評価値S2が検出できる。補正以前の被写体が近距離の状態は、図５(ａ)で表されるが、外部測距AFの距離評価エリア206と撮像信号AFの測距ゲート501は、パララックスが発生しているため、ずれている。また、補正以前の被写体が遠距離の状態は、図５（ｃ）で表させるが、外部測距AFの距離評価エリア208と撮像信号AFの測距ゲート501はパララックスが発生しているため、ずれている。被写体距離が中距離の場合は、図５（ｂ）で表されるが、外部測距AFの距離評価エリア207と撮像信号AFの測距ゲート301は大きさは異なるが、パララックスが発生しないため、外部測距AFの距離評価エリア207は測距ゲート501に含まれている。
【００２８】
これに対して、補正後の状態を図５（ｄ）、（ｅ）、（ｆ）に表す。図５（ｄ）は、パララックス補正後の被写体が近距離の状態を表しており、ぶれ補正レンズ121を移動することで、撮像画面の位置を203から304に移動すると共に、撮像信号AFの測距ゲートの位置を画面内で、301から502へ移動することで、パララックスが軽減されて、外部測距AFの距離評価エリア207が撮像信号AFの測距ゲート301に含まれる位置まで移動している。ここで、撮像信号AFの測距ゲート501の9個のエリアのうち、左下の測距ゲートを用いることにより、パララックスを補正することが可能になる。また、図５（ｆ）は、パララックス補正後の被写体が遠距離の状態を表しており、ぶれ補正レンズ121を移動することで、撮像画面の位置を205から503に移動することで、パララックスが軽減されて、外部測距AFの距離評価エリア207が撮像信号AFの測距ゲート301に含まれる位置まで移動している。ここで、撮像信号AFの測距ゲート501の9個のエリアのうち、右上の測距ゲートを用いることにより、パララックスを補正することが可能になる。被写体距離が中距離の場合は、パララックスが発生していなかったので、図５（ｅ）に表すように、ぶれ補正レンズ121や撮像信号AFの測距ゲートの位置は移動していないが、測距エリアの面積の差が大きいため、面積の差をほぼ一致させるために、撮像信号AFの測距ゲート501の9個のエリアのうち、中央の測距ゲートを用いることにより、ほぼ完全に２つのAF評価位置を一致させることが可能になる。
【００２９】
次に、第２実施例のオートフォーカスを含めた撮影の一連の手順について、図６のフローチャートを用いて説明する。S601から開始して、S602ではレリーズスイッチのSW1が押されているかどうかの判定を行う。押されていない場合は、S602へ進み判定を繰り返し、SW1が押されている場合は、S603へ進む。S603では、位相差検出方式の外部測距AFにて大まかな被写体距離（S1）を検出する。S604では、S603で検出した被写体距離信号（S1）に基づいて、あらかじめROM等のメモリ上に記憶しておいたパララックス発生テーブルやパララックス発生演算式等からパララックスの発生量および方向を算出する。S605では、S604で算出されたパララックス量と方向から、図５で説明したように、ぶれ補正レンズ121を駆動すると同時に測距ゲート135の複数の領域から最適な測距ゲートを選択することで、パララックスを補正する。S606では、S603で検出した被写体距離へフォーカスレンズ131を移動する。S607では、ぶれ補正レンズ121を、現在の位置を中心として手ぶれ補正動作を開始する。このとき、撮像信号AFの測距ゲートと外部測距AFの距離評価エリアが大きく外れないように（もしくは、２つのエリアが重なりがあるように）可動範囲を制限して手ぶれ補正動作を行う。S608では、S606で移動したフォーカスレンズ131の位置を中心にフォーカスレンズ131を所定の振幅でスキャンを行い、撮像信号AF評価値S2のピークが発生するフォーカスレンズ位置を検出し、S609でフォーカスレンズ131をピーク位置へ移動し、S610でフォーカスレンズを停止してフォーカスロックを行う。この後、S611では、S607で制限した可動範囲の制限を取り外し、ぶれ補正レンズ121が問題無く移動できる範囲でぶれ補正を行う。ただし、この場合もぶれ補正の中心位置は、S60５で補正したぶれ補正レンズの位置を保持する。S612では、レリーズスイッチのSW2が押されたかどうかの判定を行い、押されていない場合は、S612へ進み判定を繰り返すが、押された場合は、S613へ進む。S613では、露光動作を行うことで撮影を行い、S614では手ぶれ補正動作を停止する。S615では画像圧縮および画像記録メディア157への記録を行い、S616で一連の動作を終了する。
【００３０】
＜第三実施例＞
第三実施例のオートフォーカスを含めた撮影の一連の手順について、図７を用いて説明する。なお、第三実施例のパララックスを補正する補正方法等は、第２実施例で図５を用いて説明した内容と同じである。
【００３１】
S701から開始して、S702ではレリーズスイッチのSW1が押されているかどうかの判定を行う。押されていない場合は、S702へ進み判定を繰り返し、SW1が押されている場合は、S703へ進む。S703では、位相差検出方式の外部測距AFにて大まかな被写体距離（S1）を検出する。S704では、モニタディスプレイ150がONになっているかどうかの判定を行い、モニタディスプレイ150がONの場合はS720へ進み、OFFの場合はS710へ進む。S710では、S703で検出した被写体距離信号（S1）に基づいて、あらかじめROM等のメモリ上に記憶しておいたパララックス発生テーブルやパララックス発生演算式等からパララックスの発生量および方向を算出する。S711では、S710で算出されたパララックス量と方向から、図５で説明したように、ぶれ補正レンズ121を駆動すると同時に測距ゲート135の複数の領域から最適な測距ゲートを選択することで、パララックスを補正する。S712では、S703で検出した被写体距離へフォーカスレンズ131を移動する。S713では、ぶれ補正レンズ121を、現在の位置を中心として手ぶれ補正動作を開始する。このとき、撮像信号AFの測距ゲートと外部測距AFの距離評価エリアが大きく外れないように（もしくは、２つのエリアが重なりがあるように）可動範囲を制限して手ぶれ補正動作を行う。S714では、S712で移動したフォーカスレンズ131の位置を中心にフォーカスレンズ131を所定の振幅でスキャンを行い、撮像信号AF評価値S2のピークが発生するフォーカスレンズ位置を検出し、S715でフォーカスレンズ131をピーク位置へ移動し、S716でフォーカスレンズを停止してフォーカスロックを行う。この後、S717では、S713で制限した可動範囲の制限を取り外し、ぶれ補正レンズ121が問題無く移動できる範囲でぶれ補正を行う。ただし、この場合もぶれ補正の中心位置は、S711で補正したぶれ補正レンズの位置を保持する。S704でモニタディスプレイがOFFの場合は、S720へすすみ、パララックス補正を行わずにAF動作を行う。すなわち、S720では、S703で検出した被写体距離へフォーカスレンズ131を移動する。S721では、ぶれ補正レンズ121を、ほぼ光学中心を中心として手ぶれ補正動作を開始する。このときに、ぶれ補正レンズ121が問題無く移動できる範囲でぶれ補正を行い、ぶれ補正レンズ121の可動範囲の制限をあえて設けない。S722では、S720で移動したフォーカスレンズ131の位置を中心にフォーカスレンズ131を所定の振幅でスキャンを行い、撮像信号AF評価値S2のピークが発生するフォーカスレンズ位置を検出し、S723でフォーカスレンズ131をピーク位置へ移動し、S724でフォーカスレンズを停止してフォーカスロックを行う。S730では、レリーズスイッチのSW2が押されたかどうかの判定を行い、押されていない場合は、S730へ進み判定を繰り返すが、押された場合は、S731へ進む。S731では、露光動作を行うことで撮影を行い、S732では手ぶれ補正動作を停止する。S733では画像圧縮および画像記録メディア157への記録を行い、S724で一連の動作を終了する。
【００３２】
つまり、第三実施例では、モニタディスプレイ150が表示されているかどうかの判別を行い、表示されていない場合は、パララックス補正の画角移動がユーザに対して見えることが無いので、パララックス補正をおこなうが、表示されている場合には、パララックス補正による画角の移動がユーザに対して見えないように、パララックス補正を行わないようにしたものである。
【図面の簡単な説明】
【００３３】
【図１】実施例のシステムの構成を表す図。
【図２】実施例を説明する図。
【図３】第1実施例を説明する図。
【図４】第1実施例の動作を説明するフローチャート。
【図５】第2実施例を説明する図。
【図６】第2実施例の動作を説明するフローチャート。
【図７】第3実施例の動作を説明するフローチャート。
【図１】
2006171290.tif 000003
【図２】
2006171290.tif 000004
【図３】
2006171290.tif 000005
【図４】
2006171290.tif 000006
【図５】
2006171290.tif 000007
【図６】
2006171290.tif 000008
【図７】
2006171290.tif 000009